(57)【要約】 【課題】取付部材に商品吊り下げ部材を簡単かつ確実に組み立て、軸部を外部に露出させず、商品吊り下げ部材をロック可能とする。【解決手段】商品吊り下げ部材２は、商品吊り下げ用棒状部３、基部４、２つの軸部５、基部４の底部に弾性係止片６を備え、取付部材１０は、取付部１４、開口部１１、該開口部の両側に２つの突出部１２、該突出部１２の内面に一端が開口部１１と連通し、他端が突出部内にて終端する２つの軸保持用溝孔１３を備え、商品吊り下げ部材２を挿入時に弾性係止片６が弾性変形して前記開口部１１を挿通し、前記商品吊り下げ部材２は、弾性係止片６の開口通過後では、軸保持用溝孔１３と復元した弾性係止片６の取付部の開口部の前面周縁付近との係合により、商品吊り下げ部材の取付部材に対する前後移動および軸部５を回転軸とする下方への回動が規制され、上方への回動可能とされる商品吊り下げ具。【選択図】図１
2008178441.tif 000002
【特許請求の範囲】
【請求項１】
商品吊り下げ部材と、該商品吊り下げ部材の基部を上方に回動可能に保持するとともに、陳列用板体の装着口に着脱可能に取り付けられる取付部材とからなる商品吊り下げ具であって、
前記商品吊り下げ部材は、商品吊り下げ用棒状部と、該棒状部の基端に設けられた略長方体状の基部と、該基部の対向する側面より外方に突出する２つの軸部と、前記基部の底部に設けられた弾性係止片とを備え、
前記取付部材は、前記陳列用板体の前記装着口に着脱可能な取付部と、前記商品吊り下げ用棒状部および前記基部を挿通可能な略矩形状の開口部と、該開口部の前面の向かい合う側部付近より前方に突出する２つの突出部と、該２つの突出部の向かい合う内面にそれぞれ形成され、一端が前記開口部と連通し、他端が前記突出部内にて終端する所定長前方に延びる２つの軸保持用溝孔とを備え、
前記弾性係止片は、前記取付部材の前記開口部への挿入時には、前記開口部の内縁部により押圧されることにより弾性変形し、前記開口部を挿通可能であり、前記商品吊り下げ部材は、前記弾性係止片の前記開口通過後では、前記軸保持用溝孔と復元力により復元した前記弾性係止片の前記取付部の前記開口部の前面周縁付近との係合により、前記商品吊り下げ部材の前記取付部材に対する前後移動および前記商品吊り下げ部材の前記軸部を回転軸とする下方への回動が規制されるとともに、上方への回動が可能となっていることを特徴とする商品吊り下げ具。
【請求項２】
前記商品吊り下げ部材の前記基部の上部基端部は、湾曲角部となっている請求項１に記載の商品吊り下げ具。
【請求項３】
前記商品吊り下げ部材の前記基部の底部先端部は、先端に向かって斜め上方に傾斜する傾斜部となっている請求項１または２に記載の商品吊り下げ具。
【請求項４】
前記商品吊り下げ部材の前記基部の上部先端部は、該商品吊り下げ部材を前記軸部を回転軸として上方へ回動させた時、前記取付部材の前記開口部内に侵入可能である請求項１ないし３のいずれかに記載の商品吊り下げ具。
【請求項５】
前記商品吊り下げ部材は、上部先端部が前記開口部に侵入可能である基部が前記軸保持用溝孔に沿って開口部に押し込まれて開口部にロック可能である請求項４に記載の商品吊り下げ具。
【請求項６】
前記弾性係止片は、前記基部の基端面から先端方向に所定長の延びるように設けられた切り込みにより、開く方向に復元するものとなっている板状バネ片であり、該該板状バネ片の基端端面が、前記取付部の前記開口部の前面周縁付近と係合するものである請求項１ないし５のいずれかに記載の商品吊り下げ具。
【請求項７】
前記弾性係止片の前記基端端面は、垂直面または傾斜面となっている請求項１ないし６のいずれかに記載の商品吊り下げ具。
【請求項８】
前記取付部材の前記取付部は、該取付部の上下に設けられ、前記陳列用板体の装着口の前面から挿入されて陳列用板体の裏面に係止可能な係止片により構成されている請求項１ないし７のいずれかに記載の商品吊り下げ具。
【発明の詳細な説明】
【技術分野】
【０００１】
この発明は、商品を吊り下げて陳列するのに使用する商品吊り下げ具に関する。
【背景技術】
【０００２】
従来、商品吊り下げ具として、基板の表面に２本の突出片を突出し、該突出片の先端に円弧面を有すると共に挿入間隙部を設けた上向き係止部を備え、挿入間隙部を介して着脱自在に挿入され円弧面に当接して回動自在に支持される回転軸を備えた係止棒体を形成し、係止棒体は係止棒の基部に基板の前面に当接する下端面部を備えた膨出部を設け、該膨出部に回動軸を設けたものがある（特許文献１参照）。
また、基板の表面に平行して２本の突出片を突出すると共に該突出片の先端に円弧面を有した上向き係止部を備えた係止部材を形成し、更に係止部材の突出片を展示板の窓孔に背面より挿入して展示板の表面と上向き係止部との間に挿入間隙部を形成し、更に挿入間隙に挿入され展示板の表面と円弧面との間に回動自在に支持される回動軸を備えた係止棒体を形成し、係止棒体は展示板の表面に当接する下方折り曲げ片を備えた係止棒の折り曲げ部に回動軸を設けたものがある（特許文献２）。
【０００３】
【特許文献１】実用新案登録第３０２６４４１号
【特許文献２】特許第２８３８３８１号
【発明の開示】
【発明が解決しようとする課題】
【０００４】
特許文献１の展示用板体は、係止棒体の回転軸を係止部材の係止部の円弧面に挿入間隙を通じて着脱可能に嵌めたものであるから、係止棒体の先端に荷重がかかることにより、円弧面に位置する係止棒体の回転軸が挿入間隙を通じて抜けることがあり、使用上不都合となる等の問題があった。
特許文献２の展示板体も、展示板の表面と上向き係止部との間に挿入間隙部が構成されるが、その間隙が広いと、係止棒体の先端に荷重がかかることにより係止棒体の回転軸が抜けることがあり、使用上不都合となる等の問題があった。
また、これらはいずれも、挿入間隙部と軸部が露出しているので、外観の体裁が悪く、挿入間隙部は上方に開口されているので、吊り下げる商品の紐等が入り込んで絡むことがあり、不都合であった。
上記の係止棒体を上方に回動して係止部材側に立てることはできるが、係止棒体はロックされないのでがたつきを生じ、多数の製品の輸送中に振動等により係止棒体ががたつくことにより係止棒体、係止部材等の表面に傷がつく恐れがあり、また、振動で係止棒体が係止部材に当たり展示用板体から騒音が発生するなどの不都合がある。
【０００５】
この発明は、このような問題点を解消するために、取付部材に対して開口部を通じ軸保持用溝孔に挿入された商品吊り下げ部材を取付部材の前面において回動自由かつ弾性係止片の働きで簡単かつ確実に装着でき、商品吊り下げ部材の軸部と軸保持用溝孔との係合を外部に露出させず、また上方へ回動された商品吊り下げ部材を軸保持用溝孔に沿って開口部に押し込み、商品吊り下げ部材を開口部にロック可能とした商品吊り下げ具を提供することを目的とする。
【課題を解決するための手段】
【０００６】
上記目的を達成するものは、以下のものである。
（１）商品吊り下げ部材と、該商品吊り下げ部材の基部を上方に回動可能に保持するとともに、陳列用板体の装着口に着脱可能に取り付けられる取付部材とからなる商品吊り下げ具であって、
前記商品吊り下げ部材は、商品吊り下げ用棒状部と、該棒状部の基端に設けられた略長方体状の基部と、該基部の対向する側面より外方に突出する２つの軸部と、前記基部の底部に設けられた弾性係止片とを備え、
前記取付部材は、前記陳列用板体の前記装着口に着脱可能な取付部と、前記商品吊り下げ用棒状部および前記基部を挿通可能な略矩形状の開口部と、該開口部の前面の向かい合う側部付近より前方に突出する２つの突出部と、該２つの突出部の向かい合う内面にそれぞれ形成され、一端が前記開口部と連通し、他端が前記突出部内にて終端する所定長前方に延びる２つの軸保持用溝孔とを備え、
前記弾性係止片は、前記取付部材の前記開口部への挿入時には、前記開口部の内縁部により押圧されることにより弾性変形し、前記開口部を挿通可能であり、前記商品吊り下げ部材は、前記弾性係止片の前記開口通過後では、前記軸保持用溝孔と復元力により復元した前記弾性係止片の前記取付部の前記開口部の前面周縁付近との係合により、前記商品吊り下げ部材の前記取付部材に対する前後移動および前記商品吊り下げ部材の前記軸部を回転軸とする下方への回動が規制されるとともに、上方への回動が可能となっていることを特徴とする商品吊り下げ具。
【０００７】
（２）  前記商品吊り下げ部材の前記基部の上部基端部は、湾曲角部となっている（１）に記載の商品吊り下げ具。
（３）  前記商品吊り下げ部材の前記基部の底部先端部は、先端に向かって斜め上方に傾斜する傾斜部となっている（１）または（２）に記載の商品吊り下げ具。
（４）  前記商品吊り下げ部材の前記基部の上部先端部は、該商品吊り下げ部材を前記軸部を回転軸として上方へ回動させた時、前記取付部材の前記開口部内に侵入可能である（１）ないし（３）のいずれかに記載の商品吊り下げ具。
（５）  前記商品吊り下げ部材は、上部先端部が前記開口部に侵入可能である基部が前記軸保持用溝孔に沿って開口部に押し込まれて開口部にロック可能である（４）に記載の商品吊り下げ具。
【０００８】
（６）  前記弾性係止片は、前記基部の基端面から先端方向に所定長の延びるように設けられた切り込みにより、開く方向に復元するものとなっている板状バネ片であり、該該板状バネ片の基端端面が、前記取付部の前記開口部の前面周縁付近と係合するものである（１）ないし（５）のいずれかに記載の商品吊り下げ具。
（７）  前記弾性係止片の前記基端端面は、垂直面または傾斜面となっている（１）ないし（６）のいずれかに記載の商品吊り下げ具。
【０００９】
（８）  前記取付部材の前記取付部は、該取付部材の上下に設けられ、前記陳列用板体の装着口の前面から挿入されて陳列用板体の裏面に係止可能な係止片により構成されている（１）ないし（７）のいずれかに記載の商品吊り下げ具。
【発明の効果】
【００１０】
この発明の商品吊り下げ具によれば、商品吊り下げ部材を取付部材に設けた開口部を通じて、基部の対向する側面より外方に設けられた２つの軸部を突出部の内面の軸保持用溝孔に挿入するとともに基部の底部の弾性係止片が開口部の内縁部により押圧されて開口部に挿通され、基部が開口部を通過後、軸保持用溝孔に回動可能に保持するとともに、底部の弾性係止片が復元力で復元されて開口部の下部の取付部材の前面に係止可能とされ、簡単に組み立てできる。そして、商品吊り下げ部材の軸部は軸保持部の内面に位置するので外部に露出せず体裁を良くでき、商品価値を向上させることができ、また、吊り下げる商品の紐等が絡まることがない。
【００１１】
商品吊り下げ部材の基部を上方へ回動時に基部の上部先端部を取付部材の前記開口部に侵入可能として商品吊り下げ部材を取付部材側に倒して折り畳みできる。また、上方へ回動して開口部に侵入させた基部を突出部の軸保持用溝孔に沿って開口部側へ押すことにより商品吊り下げ部材を開口部にロックでき、輸送時等にがたつきをなくすことができ、商品吊り下げ具に傷がつくことがなく、また商品吊り下げ具の騒音を防止できる。
また、この商品吊り下げ具は、陳列用板体の装着口に簡単に装着できるので、便利である。
【発明を実施するための最良の形態】
【００１２】
この発明の商品吊り下げ具の実施形態を図面に基づいて説明する。図１はこの発明の商品吊り下げ具の斜視図、図２は商品吊り下げ部材の斜視図、図３は取付部材の斜視図、図４は商品吊り下げ部材の拡大側面図、図５は商品吊り下げ部材の拡大正面図、図６は商品吊り下げ部材の拡大背面図、図７は取付部材の拡大正面図、図８は取付部材の拡大背面図、図９は取付部材の拡大側面図、図１０は取付部材に商品吊り下げ部材を挿入する状態の縦断面図、図１１取付部材に商品吊り下げ部材を取り付けた状態の拡大縦断面図、図１２は取付部材に商品吊り下げ部材を取り付けた状態の拡大横断面図、図１３は商品吊り下げ部材を上方へ回動させた状態を示す拡大断面図を示す。
【００１３】
図１ないし図１０において、１はこの発明の商品吊り下げ具であって、商品吊り下げ部材２と、該商品吊り下げ部材２の基部４を上方に回動可能に保持するとともに、陳列用板体２０の装着口２１に着脱可能に取り付けられる取付部材１０とにより構成されている。この発明の商品吊り下げ具１の特徴は、取付部材１０の開口部１１を通じて後方より商品吊り下げ部材２を挿入して構成することにある。この商品吊り下げ具を構成する商品吊り下げ部材２と取付部材１０の材質は、合成樹脂製、木製、金属製等である。
【００１４】
図４ないし図６において、前記商品吊り下げ部材２は、商品吊り下げ用棒状部３と、該棒状部３の基端に設けられた略長方体状の基部４と、該基部４の対向する側面より外方に突出する２つの軸部５と、前記基部の底部に設けられた弾性係止片６とを備える。 前記商品吊り下げ用棒状部３は、商品の包装袋の吊り下げ穴、吊り紐等を掛けるものであり、例えば掛けてある商品が外れないように先端が上方へ屈曲した形状とするのが好ましい。前記商品吊り下げ部材２は商品吊り下げ用棒状部３の長さが異なるものを用意して、所望の長さの商品吊り下げ部材２を取付部材１０に取り付けることができる。
前記商品吊り下げ部材２は、先端に商品吊り下げ用棒状部３と、棒状部３の基端に設けられた略長方体状の基部４が前記取付部材１０の開口部１１に挿入可能で、かつ該基部４の対向する側面より外方に突出する２つの軸部５が取付部材１０の両側の突出部１２の内面の軸保持用溝孔１３に挿入可能とされる。
【００１５】
前記商品吊り下げ部材２の基部４は、底部に設けられた弾性係止片６が押圧された状態で取付部材１０の略矩形状の開口部１１に挿入できる大きさの長方体であり、その両側のほぼ中央に前記突出部１２の軸保持用溝孔１３に挿入する円形の軸部５が一体に形成されている。
前記商品吊り下げ部材２の前記基部４の上部基端部４ｂは、湾曲角部となっている。前記商品吊り下げ部材２の前記基部４を軸部５を取付部材１０の前面位置の軸保持用溝孔１３の前部位置において回動するとき、取付部材１の開口部１１に当たることがないようにする。
前記商品吊り下げ部材２の前記基部４の底部先端部４ｃは、先端に向かって斜め上方に傾斜する傾斜部となっている。基部４の底部先端部４ｃを先細となる傾斜部とすることにより商品吊り下げ部材２を取付部材１０の開口部１１に挿入しやすくする。
また、基部４の基端面（後面）４ａは傾斜状とし、その底部の弾性係止片６の基端端面６ａが基端面４ａの延長線の傾斜面とするか、弾性係止片６の基端端面６ａを基部の基端面より僅かに長く設け、基端端面６ａが取付部材１０前面に当たると商品吊り下げ部材２が斜め上方に保持される。なお、前記吊り下げ部材２の基部４の基端面４ａ、基端端面６ａは、ほぼ垂直に設けて、商品吊り下げ部材２がほぼ水平に保持されるようにしてもよい。
【００１６】
該商品吊り下げ部材２は前記軸部５を回転軸として上方へ回動させた時、商品吊り下げ用棒状部３が前記取付部材１０の前面側に当たるまで回動される。そして、前記商品吊り下げ部材２の前記基部４の上部先端部４ｄは、該商品吊り下げ部材２を前記軸部５を回転軸として上方へ回動させた時、前記取付部材１０の前記開口部１１内に侵入可能としてある。基部４の上部先端部４ｄは前記取付部材１０の前記開口部１１内に侵入できるので、商品吊り下げ部材２を取付部材１０側に倒した状態、すなわち取付部材１０側に折り畳んだ状態にできる。
【００１７】
前記商品吊り下げ部材２は、上部先端部４ｄが前記開口部１１に侵入可能である基部４が前記軸保持用溝孔１３に沿って開口部１１に押し込まれて開口部１１にロック可能である。
前記商品吊り下げ部材２は、上方へ回動して商品吊り下げ用棒状部３が取付部材１０の前面に当たり、かつ前記基部４の上部先端部４ｄが開口部に侵入可能とされた状態で、基部４の底部側を取付部材１０の開口部１１側へ押すことにより基部４の軸部５が溝孔１３に沿って移動され、基部４が開口部１１にロックされ、輸送中などに商品吊り下げ部材２が取付部材から外れないようにされる。
【００１８】
すなわち、図１３において、前記商品吊り下げ部材２が上方へ、すなわち時計方向に回動されて商品吊り下げ用棒状部３が取付部材１０の前面に当たり、基部４の前面が若干斜めとなって開口部１１に侵入可能な状態で、基部４の底部側を取付部材１０側へ押し込み、基部４の両側の軸部５が両側の突出部１２の軸保持用溝孔１３に沿って後方に僅かに移動されることにより、基部４には軸部５を軸として反時計方向に回る力が働き、基部４の上部先端部４ｄが開口部１１の内面に押しつけられ上部先端部４ｄが開口部１１の内面に密接されてロックされる。基部４が押し込まれることより、基部４は軸部５が嵌合されている突出部１２の溝孔１３と、開口部１１の上部内面との間に挟まれた状態で上部先端部４ｄが開口部１１の内面に押しつけられてロックされる。商品吊り下げ部材２は開口部１１にロックされることにより、輸送時に振動等で無闇に抜けることがなく、商品吊り下げ部材２、取付部材１０の表面に傷を付けることがなく、また商品吊り下げ具が騒音を発すること防止できる。商品吊り下げ具１を使用するときは、商品吊り下げ部材２の商品吊り下げ用棒状部３の端を持って取付部材１０側へ押すことにより基部４が軸部５を軸としてこじられて前方に引き出され、ロックが外され、その後商品吊り下げ部材２を下方へ、すなわち反時計方向に回動して前方斜め状の商品の吊り下げ状態とする。
【００１９】
商品吊り下げ部材２の基部４の底部に設けられる弾性係止片６は開口部１１の内縁部で復元力に抗して押圧されて前記開口部１１に挿通可能であり、開口部１１を通過後復元力で取付部材１０の前面に係合可能とされる。
すなわち、基部４が前記弾性係止片６の前記開口部１１を通過後は、前記軸保持用溝孔１３と復元力により復元した前記弾性係止片６の前記取付部材１０の前記開口部１１の前面周縁付近との係合により、前記商品吊り下げ部材２の前記取付部材１０に対する前後移動および前記商品吊り下げ部材２の前記軸部５を回転軸とする下方への回動が規制されるとともに、上方への回動が可能となっている。 
【００２０】
前記弾性係止片６は、前記取付部材１０の前記開口部１１への挿入時には、前記開口部１１の内縁部により押圧されることにより弾性変形し、前記開口部１１を挿通可能である。
前記弾性係止片６は、前記基部４の基端面から先端方向に所定長の延びるように設けられた切り込み７により、開く方向に復元するものとなっている板状バネ片であり、該板状バネ片の基端端面６ａが、前記取付部材１０の前記開口部１１の前面周縁付近と係合するものである。実施例では板状バネ片の基端端面６ａは取付部材１０の開口部１１の直下の前面に係止可能に設けられる。前記弾性係止片６の前記基端端面６ａは、垂直面または傾斜面となっている。実施例では弾性係止片６の基端端面６ａを傾斜状として、商品吊り下げ部材２を上方より下方へ回動して、基端端面６ａが取付部材１０に当たったとき、商品吊り下げ部材２は斜め上方に向けて保持される。弾性係止片６の基端端面を垂直にして、取付部材１０に直角に当たるようにすれば、商品吊り下げ部材２をほぼ水平に保持するようにできる。
【００２１】
実施形態では、前記基部４の底部には基端面４ａより前部近くまでＶ形の切り込み７を設けて弾性係止片６が形成される。弾性係止片６は前部の厚みを薄く、後部の厚みを厚くしてあり、弾性係止片６は前部の薄肉部を支点として弾性を持たせて接離可能とし、しかも後部は厚みがあり、基端端面６ａを取付部材１０の前面に確実に当接させて係止できる。前記弾性係止片６として、弾性係止片６を基部４に一体に設けた場合を示したが、板状バネ片を別体として基部の底部にＶ字状に開いて取付けることもできる。
【００２２】
図７ないし図１０に示すように、前記取付部材１０は、前記陳列用板体２０の前記装着口２１に着脱可能な取付部１４と、前記商品吊り下げ用棒状部３および前記基部４を挿通可能な略矩形状の開口部１１と、該開口部１１の前面の向かい合う側部付近より前方に突出する２つの突出部１２と、該２つの突出部１２の向かい合う内面にそれぞれ形成され、一端が前記開口部１１と連通し、他端が前記突出部内にて終端する所定長前方に延びる２つの軸保持用溝孔１３とを備える。
【００２３】
前記取付部材１０は略矩形状の板体であり、その中央部に略矩形状の開口部１１が形成され、板体の前面で前記開口部１１の前面両側に突出部１２、１２が平行に突出して一体に形成されている。
前記取付部材１０の２つの突出部１２は、２つの突出部１２の向かい合う内面にそれぞれ形成され、一端が前記開口部１１と連通し、他端が前記突出部内にて終端する所定長前方に延びる２つの軸保持用溝孔１３が設けられている。
【００２４】
前記突出部１２は前端を円弧とした長方形の板体であって、開口部１１のほぼ中央両側に突出して一体に設けられる。突出部１２の向かい合う内面に形成される軸保持用溝孔１３は一端が前記開口部１１と連通し、他端が前記突出部１２内にて終端する所定長前方に延びて設けられ、前記商品吊り下げ部材２の前記取付部材１０に対する前後移動および前記商品吊り下げ部材２の前記軸部５を回転軸とする下方への回動が規制されるとともに、上方への回動が可能となっている。
前記軸保持用溝孔１３は、突出部１２の向かい合う内面に前記突出部１２の前部までに凹状に設けられる。この軸保持用溝孔１３の幅は、商品吊り下げ部材２の軸部５の外径より若干広く、かつ溝孔１３の長さＬは、商品吊り下げ部材２の基部４の軸部５が溝孔１３の前部の回動する位置にある時に、取付部材１０の背面から商品吊り下げ部材２の基部４の軸部５の前端までの長さより若干長く設けられ、余裕を持たせてある。軸保持用溝孔１３の前方の終端は軸部の外形と合致する径の円弧面とするのが好ましい。
前記突出部１２の軸保持用溝孔１３から前記開口部１１の上部内面までの長さは、商品吊り下げ部材２の基部４の軸部５より上部先端部４ｄまでの長さより僅かに長くしてあり、基部４の回動時に上部先端部４ｄが開口部１１の縁に当たらないようにする。
前記突出部１２の軸保持用溝孔１３から前記開口部１１の下部内面までの長さは、商品吊り下げ部材２の基部４の軸部５より押圧されて閉じた状態の底部の弾性係止片６までの長さとしてあり、基部４の底部の弾性係止片６が弾性変形した状態（押圧した状態）で挿通可能としてある。
【００２５】
商品吊り下げ部材２の基部４の軸部５は軸保持用溝孔１３の前部までスライドして挿入され、前記開口部１１の前面において、軸部５を軸保持用溝孔１３の前部位置で回動でき、かつ基部４の弾性係止片６の基端端面６ａが取付部材１０の前面に係合可能とできるようにする。すなわち、取付部材１０の前面に商品吊り下げ部材２の基部４の基端面がほぼ一致する位置で、基部４の軸部５が突出部１２の凹状軸保持用溝孔１３の前部に位置して、商品吊り下げ部材２の基部４が上方からほぼ水平位置まで取付部材１０に当たらないように回動でき、かつ、ほぼ水平位置で基部４の底部の弾性係止片６の基端端面６ａが取付部材１０の前面に当接するようにしてある。
【００２６】
前記取付部材１０の上下には取付部１４が設けられ、前記陳列用板体２０の装着口２１の前面から挿入されて陳列用板体２０の裏面に係止可能な係止片１４ａ、１４ｂにより構成される（図１４および図１５参照）。
前記上部の係止片１４ａは取付部材１０の上端中央の背面側にＬ形に突出して形成され、下部の係止片１４ｂは取付部材１０の下端中央の背面側にＬ形に突出して形成される。Ｌ形係止片１４ａと１４ｂが陳列用板体２０の装着口２１に挿入され、Ｌ形係止片１４ａの係止面（前面）とＬ形係止片１４ｂの係止面（前面）が陳列用板体２０の背面に当接可能とされる。Ｌ形係止片１４ａの長さは長く、Ｌ形係止片４ｂの長さは短くして、上端の係止片１４ａを挿入後下端の係止片１４ｂを嵌めるようにするのが好ましい。Ｌ形係止片１４ｂは下端を前面より後方へ傾斜状として挿入しやすくしてある。なお、取付部材１０の取付部１４の構造は上記の構造に限るものではなく、陳列用板体２０にねじ等で固定することもできる。
【００２７】
図１１および図１２に示すように、商品吊り下げ部材２の軸部５を取付部材１０の前面位置の突出部１２の軸保持用溝孔１３に移動して、軸保持用溝孔１３の前部の位置に商品吊り下げ部材２の軸部５が軸支され、商品吊り下げ部材２の後部の基部４の基端面４ａが丁度取付部材１０の前面とほぼ同一面となるように保持され、商品吊り下げ部材２は基部４の軸部５を中心として回動でき、上方から下方に回動してほぼ水平位置で底部の弾性係止片６が取付部材１０の前面に当たって受け止められる。
而して、商品吊り下げ部材２は軸保持用溝孔１３の前端において、使用時には弾性係止片６が取付部材１０に当たって係止された状態で、ほぼ水平に保持される。
図１３に示すように、輸送時、保管時には商品吊り下げ部材２を取付部材１０の前方のほぼ水平位置から上方に回動させて取付部材１０に対して折り畳んだ状態として小容積とさせ、基部４を押し込んで開口部１１にロックさせて商品吊り下げ部材２が無闇に動かないようにできる。
【００２８】
図１ないし図３、図１０ないし図１３において、この発明の商品吊り下げ具の組み立て方を説明する。
取付部材１０に商品吊り下げ部材２を取り付けるとき、取付部材１０に設けた開口部１１の後方から商品吊り下げ部材２を挿入して、基部４の軸部５を突出部１２の軸保持用溝孔１３に挿入するとともに基部４の底部の弾性係止片６を開口部１１の内縁部で復元力に抗して押圧して開口部１１に挿入し、基部４が開口部１１を通過させて開口部１１の前面に突出させたとき、弾性係止片６が復元力で弾発され、弾性係止片６の基端端面６ａが取付部材１０の前面に係止可能とされて簡単に組み立てできる。商品吊り下げ部材２は取付部材１０の前面において、軸部５を支点として回動して基部４の弾性係止片６が取付部材１０の前面に当たるとその位置で止められる。すなわち、商品吊り下げ部材２は水平ないし若干斜め状として保持し、商品吊り下げ棒に商品を吊り下げるようにする。商品吊り下げ部材２の軸部５は突出部１２の内面に位置するので外部に露出せず体裁を良くでき、商品価値を向上させることができる。また、開口部１１に侵入させた基部４を開口部側へ押すことにより基部４を開口部１１にロックでき、多数の商品吊り下げ具の輸送時等にがたつきをなくし、損傷が生じないようにする。
商品吊り下げ部材２を取付部材１０より外す場合には、前記基部４の底部の弾性係止片６を押圧して取付部材１０の開口部１１内を通過させて裏面側へ引く抜くことも可能である。
【００２９】
図１４はこの発明の商品吊り下げ具を陳列用板体に装着した状態の斜視図、図１５は陳列用板体に商品吊り下げ具を装着した状態の要部拡大断面図 を示す。
【００３０】
図１４および図１５に示すように、２０は商品を陳列する厚紙、板紙、段ボール等陳列用板体であり、１または複数の装着口２１が一定或いは任意の間隔をおいて設けられている。装着口２１は、略矩形状で、前記したこの発明の商品吊り下げ具１の略矩形状の取付部材１０より若干縦方向の長さを大きく設け、商品吊り下げ具１を陳列用板体２０の前方から各装着口２１に差し込んで上部取付部１４を陳列用板体２０の装着口２１の上部に掛け、かつ下部取付部１４を装着口２１の下部に掛かけて装着される。商品吊り下げ具１は、陳列用板体２０の後方から装着口に挿入して取り付けることもできる。
多数の商品吊り下げ具１が装着された陳列用板体２０を保管、輸送する時、商品吊り下げ部材２は各取付部材１０に対して前記のように上方に回動させて折り畳み、基部４を開口部１１にロックした状態で陳列用板体２０の装着口２１に装着し、商品吊り下げ具１をかさばらないようにでき、各商品吊り下げ部材２は各取付部材１０に対してロックしてあるので、商品吊り下げ部材２ががたつくことなく、円滑に運ぶことができる。
使用時には、陳列用板体に装着した各商品吊り下げ具１の商品吊り下げ部材２はロックを外して回動され、底部の弾性係止片６の基端端面が取付部材１０に当たって止まり、若干斜めの状態とした位置で止められる。この商品吊り下げ部材２に適宜商品を吊り下げ、この陳列用板体を例えば立てかけて展示する。
この商品吊り下げ具１は、陳列用板体２０の装着口２１に簡単に装着できるので、便利である。商品吊り下げ具１は陳列用板体２０の装着口２１より取り外すこともできる。
【００３１】
この発明は上記実施形態に限定されるものではなく、この発明の要旨を逸脱しない範囲で、種々の形態を実施しうるものである。
【図面の簡単な説明】
【００３２】
【図１】この発明の商品吊り下げ具の斜視図である。
【図２】商品吊り下げ部材の斜視図である。
【図３】取付部材の斜視図である。
【図４】商品吊り下げ部材の拡大側面図である。
【図５】商品吊り下げ部材の拡大正面図である。
【図６】商品吊り下げ部材の拡大背面図である。
【図７】取付部材の拡大正面図である。
【図８】取付部材の拡大背面図である。
【図９】取付部材の拡大側面図である。
【図１０】取付部材に商品吊り下げ部材を挿入する状態の縦断面図である。
【図１１】取付部材に商品吊り下げ部材を取り付けた状態の拡大縦断面図である。
【図１２】取付部材に商品吊り下げ部材を取り付けた状態の拡大横断面図である。
【図１３】商品吊り下げ部材を上方へ回動させた状態を示す拡大断面図である。
【図１４】この発明の商品吊り下げ具を陳列用板体に装着した状態の斜視図である。
【図１５】陳列用板体に商品吊り下げ具を装着した状態の要部拡大断面図である。
【符号の説明】
【００３３】
１  商品吊り下げ具
２  商品吊り下げ部材
３  商品吊り下げ用棒状部
４  基部
４ａ  基部の基端面
４ｂ  基部の上部基端部
４ｃ  基部の底部先端部
４ｄ  基部の上部先端部
５  軸部
６  弾性係止片
６ａ  基端端面
７  切り込み
１０  取付部材
１１  開口部
１２  突出部
１３  軸保持用溝孔
１４  取付部
１４ａ  係止片
１４ｂ  係止片
２０  陳列用板体
２１  装着口
【図１】
2008178441.tif 000003
【図２】
2008178441.tif 000004
【図３】
2008178441.tif 000005
【図４】
2008178441.tif 000006
【図５】
2008178441.tif 000007
【図６】
2008178441.tif 000008
【図７】
2008178441.tif 000009
【図８】
2008178441.tif 000010
【図９】
2008178441.tif 000011
【図１０】
2008178441.tif 000012
【図１１】
2008178441.tif 000013
【図１２】
2008178441.tif 000014
【図１３】
2008178441.tif 000015
【図１４】
2008178441.tif 000016
【図１５】
2008178441.tif 000017